(57)【要約】【課題】  グレーチングやマンホール等の本体になる蓋体の共用化を図って成形型の製作コストや在庫管理コストを減らし、さらに市町村等の需要者の求めに応じて市町村マークや景色図案などの視認性標識が入った蓋体製品を簡単に個別対応できるプレート板付き蓋体を提供する。【解決手段】  盤状体にして上面に凹部ｕが形成された蓋体１と、該凹部ｕ内に配設し得る大きさにして、表面に視認性標識４１が施されたプレート板４と、を具備し、該プレート板４を前記凹部内に固着又は貼着して蓋体１と一体化されてなる。【選択図】  図１
2006106369.tif 000002
【特許請求の範囲】
【請求項１】
盤状体にして上面に凹部が形成された蓋体と、該凹部内に配設し得る大きさにして、表面に視認性標識が施されたプレート板と、を具備し、該プレート板を前記凹部内に固着又は貼着して蓋体と一体化されてなることを特徴とするプレート板付き蓋体。
【請求項２】
蓋体がグレーチング用蓋体である請求項１記載のプレート板付き蓋体。
【請求項３】
蓋体がマンホール用蓋体である請求項１記載のプレート板付き蓋体。
【請求項４】
蓋体が蓋体がコンクリート製蓋体である請求項１記載のプレート板付き蓋体。
【発明の詳細な説明】
【技術分野】
【０００１】
本発明は、表面に視認性標識等を施したプレート板が蓋体と一体化されるプレート板付き蓋体に関する。
【背景技術】
【０００２】
側溝, 共同溝, 桝などの開口部に蓋をするのに、グレーチング,マンホール蓋, コンクリート蓋等からなる蓋が用いられているが、さらに該蓋体に文字や図形等が描かれた蓋も提案されている(例えば特許文献１参照。)。
【０００３】
【特許文献１】特開平１０−００２００１号公報
【発明の開示】
【発明が解決しようとする課題】
【０００４】
しかるに、特許文献１は文字や図形等のマークを板面に形成したパネル板をボルト,ナットでグレーチングの表面に固定するものであり、取付け,取外しができるものの結構大掛かりになっていた。他に、表面に市町村のマークや名所の景色図案などが成形型によって一体形成されたマンホール蓋などが存在するが、特定マークが入った成形型になってしまい、夫々の市町村に適合する成形型を個別に製作,保管しなければならなかった。メーカー側は成形型の数や製品の在庫が増え、それらの保管に難儀していた。
【０００５】
本発明は上記問題点を解決するもので、グレーチングやマンホール等の本体になる蓋体の共用化を図って成形型の製作コストや在庫管理コストを減らし、さらに市町村等の需要者の求めに応じて市町村マークや景色図案などの視認性標識が入った蓋体製品を簡単に個別対応できるプレート板付き蓋体を提供することを目的とする。
【課題を解決するための手段】
【０００６】
上記目的を達成すべく、請求項１に記載の発明の要旨は、盤状体にして上面に凹部が形成された蓋体と、該凹部内に配設し得る大きさにして、表面に視認性標識が施されたプレート板と、を具備し、該プレート板を前記凹部内に固着又は貼着して蓋体と一体化されてなることを特徴とするプレート板付き蓋体にある。
請求項２の発明たるプレート板付き蓋体は、請求項１で、蓋体がグレーチング用蓋体であることを特徴とする。請求項３の発明たるプレート板付き蓋体は、請求項１で、蓋体がマンホール用蓋体であることを特徴とする。請求項４の発明たるプレート板付き蓋体は、請求項１で、蓋体がコンクリート製蓋体であることを特徴とする。
【０００７】
（作用）
請求項１の発明のごとく、蓋体とプレート板とが固着又は貼着によって一体化させると、その前段階では両者が別体になっているので、視認性標識が違うプレート板を蓋体の凹部に配設して視認性標識の違う様々なプレート板付き蓋体を容易に造ることができる。蓋体とプレート板とが別体構成であるので、蓋体の共用化ができ、製品主要部たる蓋体の効果的活用が実現する。一種類の共用化蓋体と、ユーザの求めに応じて種類の違う視認性標識が施されたプレート板とを用意さえすれば、ユーザの求めに応じて簡便且つ速やかに所望のプレート板付き蓋体を提供できる。蓋体へのプレート板の一体化が貼着による場合、従来のようなマークを付したパネル板をいちいちボルト, ナットで蓋体の表面に取付け, 取外す手間のかかる作業に比べて格段に楽になりコスト低減を図ることができる。
請求項２〜４ごとく、グレーチング用蓋体やマンホール用蓋体或いはコンクリート製蓋体とすると、製品の主要部たるグレーチング用蓋体等が共通使用できるので、その在庫数を大幅に減らすことができる。共用化する蓋体の１型だけ製作すれば足り、視認性標識の異なる需要者の求めも、蓋体に比べれば格段にサイズが小さいプレート板を種々取揃えるだけで済む。
【発明の効果】
【０００８】
以上のごとく、本発明のプレート板付き蓋体は、製品で重量的にもサイズ的にも大きな部分を占める蓋体主要部を共用化でき、共用化した一種類の蓋体を用意してサイズ,重量的にも小さなプレート板だけを顧客要望に応じて取り揃えることによって、成形型の製作コストや在庫維持管理コスト等を減らしながら、市町村等の需要者の求めに個別対応できる視認性標識の入ったプレート板付き蓋体を提供できるので、極めて有益である。
【発明を実施するための最良の形態】
【０００９】
以下、本発明に係るプレート板付き蓋体について詳述する。
(１)実施形態１
図１,図２は本発明のプレート板付き蓋体の一形態で、図１はプレート板付き蓋体の斜視図、図２は図１のプレート板をグレーチング用蓋体に貼着した状態のIV-IV線矢視図を示す。
プレート板付き蓋体は蓋体１とプレート板４とを具備する。本実施形態の蓋体１は側溝８等の上面開口部を蓋するグレーチング用蓋体１ａに適用する。グレーチング用蓋体１ａは排水機能をもつ蓋本体１ａ１と補助板２とが一体固着してなる。
【００１０】
蓋本体１ａ１は盤状にして上面に凹所１０が形成された蓋体主要部である。一定高さの側板１３,１３と端板１４,１４とで方形枠を形成し、その枠内を雨水等が通り抜ける格子状体にする。両側板１３,１３間に帯板状の主部材１１を、その帯板幅方向を起立させ、一定間隔おいて複数本配設する。蓋本体１ａ１の上面側中央部位に配される主部材１１には、その上縁中央に前記凹所１０に対応する凵状の切欠部を設けた主部材１１が用いられる。各主部材１１と側板１３,端板１４の下縁を同一レベルにする一方、該側板１３,端板１４の高さは、主部材１１の上縁から上板２１の板厚Ｔ分だけ高くする。そして、金属製ツイスト棒からなる連結材１２を、側板１３間の下面側で主部材１１にクロスさせて配設して該主部材１１に圧接,固定する。連結材１２と主部材１１とで直交する格子状体を形成し、盤状体の上面中央部位に凹所１０が形成された蓋本体１ａ１とする。凹所１０の深さＤｓは後述する下板２２の板厚に略等しい。
【００１１】
補助板２は中空四角形した上板２１と矩形の下板２２とを一体化させた板状体である。上板２１の開口２１ａを塞ぐよう該上板２１に、下側から下板２２を当接,固着して四角形した上面開口の凹部ｕが形成された補助板２とする。下板２２の平面視姿態は凹所１０の平面視姿態より若干小さめにする一方、上板２１の板厚Ｔはプレート板４の厚みに略等しくする。歩行者等がプレート板４につっかからないよう、好ましくは板厚Ｔ［ｍｍ］をプレート板４の厚みｔ［ｍｍ］以上とし、より好ましくはＴ≧ｔ≧３Ｔ／４の範囲とする。
【００１２】
補助板２は蓋本体１ａ１上に、側溝の溝方向(図２の紙面垂直方向)に沿うようにして、載置,固定される。下板２２を凹所１０内に嵌込むようにして上板２１を主部材１１上に載せ、該上板２１の両端を端板１４に固着する。蓋本体１ａ１に補助板２を固着一体にしてグレーチング用蓋体１ａが出来上がる。上板２１の上面が側板１３及び端板１４の上縁と略面一になる。上板２１の幅が側板１３の内壁間の距離よりも狭く、上板２１の両側に側板１３, １３に沿って幅Ｗの前記格子状体が露出する。雨水等がこの露出部分７を通り抜けるようにし、盤状体の上面中央部位に凹部ｕが形成されたグレーチング用蓋体１ａとなる。
【００１３】
プレート板４は前記凹部ｕ内に配設し得る大きさにして、表面に視認性標識４１が施された薄板状体又はシート状体である。プレート板４の表面には市町村マークや景色図案などの視認性標識４１が施される。図１〜図５の視認性標識４１は便宜的に「Ａ市」と表示するが、Ａ市のマーク等を略して表したものである。本発明でいう視認性標識４１とは文字、市町村マーク,禁煙マーク等の記号、模様,景色図案等の図形、又はこれらの結合をいう。これらの視認性標識４１はプレート板４の表面に刻印や印刷等の後加工のみならずプレート板４の成形時の一体成形によって施される。該プレート板４は蓋体１と別体構成にして、前記凹部ｕ内に溶接等による固着又は接着剤(或いは粘着剤)による貼着によって蓋体１と一体化されてプレート板付き蓋体の製品になる。本実施形態は接着剤による貼着でプレート板を蓋体の凹部内に貼付け固定する。
プレート板４の平面視大きさは、前記凹部ｕ内に貼着できるよう凹部ｕの平面視大きさに等しいか若干小さくする。プレート板４は金属,プラスチック,ゴム等の材質で造ることができ、例えば表面にシボ加工等により滑り止め用凹凸面を形成した樹脂成形品等とすることができる。プレート板４を樹脂製又はゴム製のシート状体にすると、これの貼着用接着剤と該接着剤を覆う離型紙とを一体化させた複合プレート板Ｐを用いることによって、蓋体への貼着作業性を向上させることができるのでより好ましくなる。上面に凹部ｕが形成されたグレーチング用蓋体１ａと凹部ｕ内に収まる複合プレート板Ｐを用意した後、複合プレート板Ｐから離型紙６を剥ぎ取る。次いで、接着剤５の面を凹部ｕに向け、プレート板４を凹部内に貼着するだけで蓋体と一体化するプレート板付き蓋体が出来る。該プレート板４の上面は少なくともその周りの蓋体１の上面と面一又はそれより低く設定する。
【００１４】
本実施形態のプレート板４は四角形した可撓性樹脂製シートからなる。該プレート板４の裏面に接着剤５を付け、さらにその接着剤５を覆う離型紙６が取付けられた複合プレート板Ｐとする。図１のごとく複合プレート板Ｐから離型紙６を剥がして凹部ｕへプレート板４を貼着し蓋体１に一体化することができる。離剥紙６を接着剤５から剥がした後、プレート板４がグレーチング用蓋体１ａに係る凹部ｕ内の下板２２に接着剤５により貼着されて、プレート板４と上板２,側板１３,端板１４とが略面一となるプレート板付き蓋体ができる。離型紙６はプレート板４に付いた接着剤５を被覆して接着面を保護する一方、プレート板４の使用時に該離型紙６を剥がし接着剤５を簡単に露出させることのできるシート,フィルムであればその材質を問わない。紙製にこだわらず樹脂製等であってよい。
【００１５】
このように構成されたプレート板付き蓋体は、グレーチング用蓋体１ａの凹部ｕ内の下板上面に、視認性標識４１が施された別体のプレート板４を貼着して両者が一体化するプレート板付き蓋体の製品を造ることができる。蓋体１たるグレーチング用蓋体１ａを共用化して、ユーザの視認性標識４１についての異なる要求に低コストで応えるプレート板付きグレーチング用蓋体ができる。従来の視認性標識４１が施されたプレート板一体のグレーチング製品をよく見ると、側溝サイズが決められていることから、グレーチング本体が同じで視認性標識４１だけが違うにすぎなかった。本発明ではグレーチング用蓋体１ａが共通使用できることから、その在庫数を大幅に減らすことができる。市町村等の視認性標識４１がグレーチング表面に一体成形された鋳物製グレーチング等があるが、市町村ごとに在庫を抱えなければならず、それぞれ個別に型をおこす費用だけでなく、様々な型及び製品を取り揃えて保管するためのスペース、在庫維持コストなどの負担が大きかった。本プレート板付き蓋体によれば、グレーチング用蓋体１ａの共用化が図れるので、数多くの市町村等の異なる要求に対してもその在庫管理数を少なくして対応できる。蓋体１,蓋本体１ａ１に比べれば、格段にサイズが小さいプレート板４を種々取揃えるだけで済む。場所をとらない様々な市町村等の要求に対応するプレート板４を用意し、共用化する蓋体１の１型だけ製作すれば足りるのであって、これまで個別対応してきた数多くの成形型の数を１個までに削減し製作コスト等を大幅削減できる。
また特許文献１のように、パネル板をいちいちボルト, ナットで蓋体１の表面に取付け, 取外しする手間がかかる作業に比べて格段に楽になり、作業コストを低減できる。樹脂製又はゴム製のシート状体のプレート板４に、接着剤５,離型紙６を一体化した複合プレート板Ｐを使用することによって一層便利になる。必要時に離型紙６を剥がした後、接着面を凹部ｕ内に向けてグレーチング用蓋体１ａに貼着一体化し、所望のプレート板付き蓋体を極めて容易に造ることが出来る。
プレート板４を樹脂製又はゴム製のシート状体にすれば、複合プレート板Ｐを製造し易く、且つ樹脂やゴムと金属の接着結合性に富む接着剤が存在するので、離型紙６を剥がしてプレート板４を蓋体１に強力に貼着一体化できる。また、樹脂製又はゴム製のシート状体にすると、金属製に比べて滑りにくくさらに表面の微細な凹凸加工がし易いので、歩行者の転倒防止にも役立つ。さらに、プレート板４の上面が蓋体１の上面と面一又は蓋体上面より低く設定することによって、プレート板４で躓くことがない。
【００１６】
(２)実施形態２
本実施形態は図３のごとくのグレーチング用蓋体１ａを用いたプレート板付き蓋体である。
ここでは、実施形態１の補助板２に代えて板状の当板３を使用する。当板３は実施形態１の下板２２と平面視形状を同じくし、当板３の厚みは下板２２の厚みよりも薄い。蓋本体１ａ１の凹所１０内の主部材１１上に当板３を固着して凹所底に当板３による平面が確保された凹部ｕのあるグレーチング用蓋体１ａが出来る。蓋本体１ａ１の凹所１０の深さＤａは、当板３の板厚Ｔ１とプレート板４の厚さｔとの和に略等しい。好ましくは、歩行者等がプレート板４につっかからぬよう、深さＤａは板厚Ｔ１とプレート板４の厚さｔとの和以上とし、より好ましくはＤａ≧Ｔ１＋ｔ≧３Ｄａ／４の範囲とする。本実施形態は実施形態１の上板２１がないので、側板１３,端板１４と主部材１１の上縁を同じ高さレベルにする。他の構成は実施形態１と同様で、その説明を省く。実施形態１と同一符号は同一又は相当部分を示す。
【００１７】
このように構成したプレート板付き蓋体は、グレーチング用蓋体１ａとプレート板４とを別体構成にして、プレート板４を凹部ｕ内に固着し蓋体１と一体化するプレート板付き蓋体ができ、マーク等が違う市町村などのユーザに楽に個別対応できる。蓋体１を共用化して、文字,記号,図形又はこれらが結合した視認性標識４１のあるプレート板４さえ用意すれば、顧客の様々な要求に応えることができる。蓋体１の共用化により成形型の製作コストや在庫管理コストを減らすことができるなど、実施形態１と同様の効果を得る。
【００１８】
(３)実施形態３
本実施形態は図４ごとくのプレート付き蓋体で、図４(イ)はその分解斜視図、(ロ)は(イ)のプレート板をマンホール用蓋体に貼着した状態の縦断面図を示す。
本プレート付き蓋体は、共同溝等のマンホールの開口を塞ぐマンホール蓋に適用されるもので、蓋体１たるマンホール用蓋体１ｂとプレート板４とからなる。
【００１９】
ここでのマンホール用蓋体１ｂは、盤状体にして上面に凹部ｕが形成された金属製の円盤状体である。マンホール用蓋体１ｂの上面中央部位には、一般面１７より一段低く底を平らにした平面視円形の凹部ｕが設けられている。符号１６は周縁隆起部、符号１８は滑り防止用の凹模様を示す。一般面１７からの凹部ｕの深さＤｍはプレート板４の厚さｔに略等しく、歩行者等がプレート板４につっかからぬよう、好ましくはプレート板４の厚さｔ以上とし、より好ましくはＤｍ≧ｔ≧３Ｄｍ／４の範囲とする。
プレート板４は表面に視認性標識４１が施された樹脂製シート状体である。本実施形態のプレート板４は凹部ｕ内に配設し得る円形シート状体で、プレート板４の裏面に接着剤５を付け、さらにその接着剤５を覆う離型紙６を取付けた複合プレート板Ｐになっている。プレート板４と蓋体１とを別体構成にして、プレート板付き蓋体製品が必要になった段階で、蓋体１の凹部ｕ内にプレート板４を貼着することによって所望のプレート板付き蓋体ができる構成である。他の構成は実施形態１のグレーチング用蓋体１ａの蓋体１と同様で、その説明を省く。実施形態１と同一符号は同一又は相当部分を示す。
【００２０】
このように構成したプレート板付き蓋体も実施形態１,２と同様の効果が得られる。市町村等のマーク(記号)の入ったマンホール蓋もよく見ると、蓋サイズが決められていることから、蓋部本体が同じで視認性標識４１だけが違うにすぎなかった。本発明では製品主要部のマンホール用蓋体１ｂが共通使用できることから、その在庫数を大幅に減らすことができ、多大な効を奏する。複合プレートＰを用いることによって作業性向上につながる。
【００２１】
(４)実施形態４
本実施形態は図５のごとくのプレート板付き蓋体で、図５(イ)はその分解斜視図、(ロ)は(イ)のプレート板をコンクリート製蓋体に貼着した状態の縦断面図を示す。
本プレート板付き蓋体は、コンクリート製蓋に適用されるもので、蓋体１たるコンクリート製蓋体１ｃと、プレート板４とからなる。ここでのコンクリート製蓋体１ｃは上面に凹部ｕが形成された方形盤状体である。コンクリート製蓋体１ｃの上面中央部には一般面１７より一段低く底を平らにした平面視四角形の凹部ｕが設けられている。コンクリート製蓋体１ｃにあっては、プレート板４が固着し難い場合があり、必要に応じ凹部底にエポキシ樹脂等のコ−ティング皮膜を形成し、凹部底に平らで緻密な平滑面を形成する。凹部ｕの深さＤｃはプレート板４の厚さｔに略等しく、好ましくは深さＤｃはプレート板４の厚さｔ以上とし、より好ましくはＤｃ≧ｔ≧３Ｄｃ／４の範囲とする。プレート板４と蓋体１とを別体構成にして、プレート板付き蓋体製品が必要になった段階で、蓋体１の凹部ｕ内にプレート板４を貼着することによって所望のプレート板付き蓋体を得る。
他の構成は実施形態１のグレーチング用蓋体１ａの蓋体１と同様で、その説明を省く。実施形態１と同一符号は同一又は相当部分を示す。
このように構成したプレート板付き蓋体も実施形態１,２と同様の効果が得られる。
【００２２】
尚、本発明においては、前記実施形態に示めすものに限られず、目的,用途に応じて本発明の範囲で種々変更できる。蓋体１, グレーチング用蓋体１ａ,蓋本体１ａ１,マンホール用蓋体１ｂ,コンクリート製蓋体１ｃ,補助板２,プレート板４,視認性標識４１等の形状,大きさ,個数,材質等は用途等に合わせて適宜選択できる。例えば、街路樹周りの地表面に敷いて街路樹を囲う保護蓋(通称、ツリーサークル）を、蓋体１とみなして本発明のプレート板付き蓋体にすることができ、またルーフドレインの表面部を蓋体１の相当部とみなして、本発明のプレート板付き蓋体にすることができる。蓋本体１ａ１の格子状体を形成する形状,構造は実施形態１のものに限られず、種々の形状,構造の格子状体であってよい。
【図面の簡単な説明】
【００２３】
【図１】実施形態１に係るプレート板をグレーチングに貼着する様子を示す斜視図である。
【図２】図１のプレート板をグレーチング用蓋体に貼着した状態のIV-IV線矢視図を示す。
【図３】実施形態２のプレート板付きグレーチング用蓋体の縦断面図である。
【図４】実施形態３のプレート付き蓋体で、(イ)がその分解斜視図、(ロ)が(イ)のプレート板をマンホール用蓋体に貼着した状態の縦断面図である。
【図５】実施形態４のプレート付き蓋体で、(イ)がその分解斜視図、(ロ)が(イ)のプレート板をマンホール用蓋体に貼着した状態の縦断面図である。
【符号の説明】
【００２４】
１              蓋体
１ａ            グレーチング用蓋体
１ｂ            マンホール用蓋体
１ｃ            コンクリート用蓋体
４              プレート板
４１            視認性標識
ｕ              凹部  
【図１】
2006106369.tif 000003
【図２】
2006106369.tif 000004
【図３】
2006106369.tif 000005
【図４】
2006106369.tif 000006
【図５】
2006106369.tif 000007